(57)【要約】【課題】パスワードを手入力する方法は、パスワードの秘匿性の保持が難しい。【解決手段】（ａ）管理情報へのアクセス可否判定に使用する管理者パスワードの記憶部と、（ｂ）印刷の可否判定に使用するオーダー確認パスワードの記憶部と、（ｃ）可搬型の第１の記憶媒体から画像データを読み出す第１のデータ読み出し部と、（ｄ）読み出された画像データに対する印刷オーダーの受付操作中に、オーダー確認パスワードの入力を催促するパスワード催促部と、（ｅ）オーダー確認パスワードの催促中に、可搬型の第２の記憶媒体からパスワードデータを読み出す第２のデータ読み出し部と、（ｆ）読み出されたパスワードデータをオーダー確認パスワードと照合し、画像データの印刷の実行可否を判定する印刷可否判定部とを有する印刷オーダー受付装置を提案する。【選択図】図２
2008077441.tif 000002
【特許請求の範囲】
【請求項１】
管理情報へのアクセス可否判定に使用する管理者パスワードの記憶部と、
印刷の可否判定に使用するオーダー確認パスワードの記憶部と、
可搬型の第１の記憶媒体から画像データを読み出す第１のデータ読み出し部と、
読み出された画像データに対する印刷オーダーの受付操作中に、オーダー確認パスワードの入力を催促するパスワード催促部と、
オーダー確認パスワードの催促中に、可搬型の第２の記憶媒体からパスワードデータを読み出す第２のデータ読み出し部と、
読み出されたパスワードデータを前記オーダー確認パスワードと照合し、画像データの印刷の実行可否を判定する印刷可否判定部と
を有することを特徴とする印刷オーダー受付装置。
【請求項２】
請求項１に記載の印刷オーダー受付装置において、
前記第１及び第２のデータ読み出し部は接触型のインターフェースである
ことを特徴とする印刷オーダー受付装置。
【請求項３】
請求項１に記載の印刷オーダー受付装置において、
前記第１又は第２のデータ読み出し部は非接触型のインターフェースである
ことを特徴とする印刷オーダー受付装置。
【請求項４】
請求項１に記載の印刷オーダー受付装置において、
前記第２のデータ読み出し部は、外部接続装置に搭載される
ことを特徴とする印刷オーダー受付装置。
【請求項５】
請求項１に記載の印刷オーダー受付装置は、
前記管理者パスワードが認証された状態において、前記オーダー確認パスワードが変更された場合、変更後のオーダー確認パスワードを可搬型の記憶媒体に複製するデータ書き込み部を有する
ことを特徴とする印刷オーダー受付装置。
【請求項６】
請求項５に記載の印刷オーダー受付装置において、
前記データ書き込み部の装着口は、扉で保護された筐体内側に配置される
ことを特徴とする印刷オーダー受付装置。
【請求項７】
請求項１に記載の印刷オーダー受付装置において、
前記オーダー確認パスワードは、複数のサブパスワードで構成される
ことを特徴とする印刷オーダー受付装置。
【請求項８】
請求項７に記載の印刷オーダー受付装置において、
前記複数のサブパスワードは、１つの固定パスワードと１つ可変パスワードとで構成される
ことを特徴とする印刷オーダー受付装置。
【請求項９】
請求項８に記載の印刷オーダー受付装置において、
前記可変パスワードは、管理者パスワードが認証された状態において更新される
ことを特徴とする印刷オーダー受付装置。
【請求項１０】
操作画面を表示する表示部と、
被印刷媒体上に印刷像を形成する印刷デバイスと、
管理情報へのアクセス可否判定に使用する管理者パスワードの記憶部と、
印刷の可否判定に使用するオーダー確認パスワードの記憶部と、
可搬型の第１の記憶媒体から画像データを読み出す第１のデータ読み出し部と、
読み出された画像データに対する印刷オーダーの受付操作中に、オーダー確認パスワードの入力を催促するパスワード催促部と、
オーダー確認パスワードの催促中に、可搬型の第２の記憶媒体からパスワードデータを読み出す第２のデータ読み出し部と、
読み出されたパスワードデータを前記オーダー確認パスワードと照合し、画像データの印刷の実行可否を判定する印刷可否判定部と
を有することを特徴とする印刷装置。
【請求項１１】
可搬型の第１の記憶媒体から画像データを読み出す処理と、
読み出された画像データに対する印刷オーダーの受付操作中に、オーダー確認パスワードの入力を催促する処理と、
オーダー確認パスワードの催促中に、可搬型の第２の記憶媒体からパスワードデータを読み出す処理と、
前記第２の記憶媒体から読み出されたパスワードデータを、印刷の実行可否の判定用に保持するオーダー確認パスワードと照合し、画像データの印刷の実行可否を判定する処理と
を有することを特徴とする印刷オーダー受付方法。
【請求項１２】
可搬型の第１の記憶媒体から画像データを読み出す処理と、
読み出された画像データに対する印刷オーダーの受付操作中に、オーダー確認パスワードの入力を催促する処理と、
オーダー確認パスワードの催促中に、可搬型の第２の記憶媒体からパスワードデータを読み出す処理と、
前記第２の記憶媒体から読み出されたパスワードデータを、印刷の実行可否の判定用に保持するオーダー確認パスワードと照合し、画像データの印刷の実行可否を判定する処理と
をコンピュータに実行させることを特徴とするコンピュータプログラム。
【発明の詳細な説明】
【技術分野】
【０００１】
この明細書で説明する発明は、印刷オーダーの受付機能に関する。なお、発明者らが提案する発明は、印刷オーダー受付装置、印刷装置、印刷オーダー受付方法及びコンピュータプログラムとしての側面を有する。
【背景技術】
【０００２】
近年における印刷装置の普及は著しく、小型化や高性能化も急速に進んでいる。これに伴い、印刷装置の設置場所や使用態様も多様化してきている。例えば、昇華方式の印刷装置は、パーティ会場、イベント会場、オフィス、学校、写真印刷店舗等において使用される。
【０００３】
このように、印刷装置の設置場所や使用態様が多様化するのに伴い、利用者を特定者に限定する仕組みの搭載が求められている。例えば操作パネルを通じて入力されたパスワードが認証された場合に限り、印刷装置の利用が可能になる仕組みが提案されている。
【特許文献１】特開２０００−１０４４１号公報
【発明の開示】
【発明が解決しようとする課題】
【０００４】
しかし、管理者が利用者の面前でパスワードを手入力する方法は、パスワードの秘匿性を保持するのが難しい。特に、パーティ会場やイベント会場等で使用する印刷装置の場合、印刷オーダーの受付回数が多く、パスワードの入力操作も大変である。それだけでなく、パスワードの秘匿性を保持するための気疲れも倍増する。
【課題を解決するための手段】
【０００５】
そこで発明者らは、以下の処理機能を搭載する印刷オーダー受付装置を提案する。
（ａ）管理情報へのアクセス可否判定に使用する管理者パスワードの記憶部
（ｂ）印刷の可否判定に使用するオーダー確認パスワードの記憶部
（ｃ）可搬型の第１の記憶媒体から画像データを読み出す第１のデータ読み出し部
（ｄ）読み出された画像データに対する印刷オーダーの受付操作中に、オーダー確認パスワードの入力を催促するパスワード催促部
（ｅ）オーダー確認パスワードの催促中に、可搬型の第２の記憶媒体からパスワードデータを読み出す第２のデータ読み出し部
（ｆ）読み出されたパスワードデータを前記オーダー確認パスワードと照合し、画像データの印刷の実行可否を判定する印刷可否判定部
【発明の効果】
【０００６】
この発明の場合、画像データを格納する可搬型の第１の記憶媒体とは別に、オーダー確認パスワードを格納した可搬型の第２の記憶媒体を用意し、オーダー確認パスワードが催促された場合には、この第２の記憶媒体からパスワードを電気的に入力する。
【０００７】
これにより、パスワードの入力が人目に晒されることがなくなり、オーダー確認パスワードの秘匿性を高めることができる。また、管理者は、オーダー確認パスワードを格納した可搬型の第２の記憶媒体を利用者に手渡すだけで良く、第三者の面前でパスワードを手入力せずに済む。
【発明を実施するための最良の形態】
【０００８】
以下、発明に係る印刷オーダーの受付機能を搭載する印刷装置の形態例を説明する。
なお、本明細書で特に図示又は記載されない部分には、当該技術分野の周知又は公知技術を適用する。
また以下に説明する形態例は、発明の一つの形態例であって、これらに限定されるものではない。
【０００９】
（Ａ）形態例１
（Ａ−１）印刷装置の外観及び基本操作
図１に、ネットワークから切り離された態様（すなわち、スタンドアローン）で使用される昇華型の印刷装置を示す。
【００１０】
昇華型の印刷装置１には、昇華性の染料を塗布したインクリボンの搬送機構、サーマルヘッド、ロール紙（記録紙）の搬送機構が搭載される。インクリボンに塗布された昇華性の染料は、サーマルヘッドに印加される熱エネルギーにより昇華され、記憶紙面上に転写固定される。
【００１１】
なお、筐体３の前面には、ロール紙の装填口を覆うロール紙ドアパネル５、メモリカード挿入用スロット７、記録紙の排紙口９が配置される。ロール紙ドアパネル５を開くことにより、ロール紙の装填や交換が可能になる。
【００１２】
図１に示すように、メモリカード挿入用スロット７は、カード形状を有する各種の記録メディアを装着できるように、複数種類のスロットで構成される。この形態例の場合、メモリカード挿入用スロット７は、例えばメモリースティック（登録商標）、ＸＤカード、ＳＤカード、スマートメディア、コンパクトフラッシュ（登録商標）に対応する。
【００１３】
筐体３の後面には、外部接続用のコネクタ接続部（図示せず）や主電源スイッチ（図示せず）等が配置される。コネクタ接続部は、例えばＵＳＢ（Universal Serial Bus）ポートであり、カードリーダー等の接続に使用される。この形態例の場合、カードリーダーは、必要に応じてオーダー確認パスワードを格納したメモリカードの装着に使用される。
【００１４】
筐体３の１つの側面には、インクリボンドアパネル１１が配置される。インクリボンドアパネル１１を開くことにより、インクリボンを装填又は交換できる。この形態例の場合、カラーインクリボンを装填する。
【００１５】
筐体３の天面には、ＬＣＤパネル１３が配置される。ＬＣＤパネル１３には、管理や印刷に必要な各種のメッセージや画像が表示される。例えば管理画面では、パスワードの設定画面や変更画面が表示される。また例えば印刷オーダーの受付画面では、印刷サイズ、印刷枚数、オーダー確認パスワードの催促画面等が表示される。
【００１６】
なお、印刷の準備時には、管理者がロール紙ドアパネル５とインクリボンドアパネル１１を開いて、ロール紙とインクリボンをそれぞれ装填する操作が実行される。
また、印刷オーダーの受付時には、利用者がＬＣＤパネル１３に表示される操作画面や案内表示に従って必要な情報を入力する操作が実行される。
【００１７】
この際、利用者は、画像データが格納されたメモリカード（第１の記憶媒体）を、メモリカード挿入用スロット７や外部接続されたカードリーダー（不図示）のいずれか１つのスロットに装着する操作を実行する。
【００１８】
また、利用者は、オーダー確認パスワードを格納したメモリカード（第２の記憶媒体）を、メモリカード挿入用スロット７や外部接続されたカードリーダー（不図示）のうち未使用のスロットに装着する操作を実行する。
【００１９】
オーダー確認パスワードが認証されると、印刷オーダーに従って印刷が開始される。
なお、印刷の実行により画像がロール紙上に形成されると、ロール紙が所定のサイズにカットされ排紙口９から排出される。
【００２０】
（Ａ−２）機能構成
この形態例で説明する印刷装置１は、パーティ会場やイベント会場等での使用を想定する。このため、使用の認められた特定者に限って印刷装置１を使用できるように、印刷オーダーの受け付過程でオーダー確認パスワードによる認証処理を実行する。
【００２１】
図２に、この種の認証機能を搭載する印刷装置１の機能構成例を示す。
印刷装置１は、制御部２１、操作部２３、表示部２５、印刷デバイス２７、メディアドライブ２９、３１、パスワード催促部３３、計時部３５、パスワード記憶部３７、印刷可否判定部３９で構成される。
【００２２】
制御部２１は、コンピュータシステムで構成され、内蔵記憶部に格納されたファームウェアに基づいてシステム全体の動作を制御する。例えば制御部２１は、印刷オーダーの受付画面の表示処理や操作入力に対する応答処理を実行する。後述するオーダー確認パスワードの認証機能や変更機能も、この制御部２１が他の機能部と連携して実行する。
【００２３】
操作部２３は、利用者の指示入力に使用されるタッチパネルである。この操作部２３を表示部２５の表面に貼り付けたものが、図１のＬＣＤパネル１３に対応する。操作部２３を通じて検出された操作内容は制御部２１に供給される。
表示部２５は、各種の操作画面を表示する表示デバイスである。
【００２４】
印刷デバイス２７は、サーマルヘッド、記録紙の搬送機構及びインクリボンの搬送機構その他で構成される。
メディアドライブ２９は、メモリカード４１及び４３から画像データやオーダー確認パスワードを読み出すためのドライブ装置である。メディアドライブ２９は、メモリカード挿入用スロット７や不図示のカードリーダーに対応する。
【００２５】
なお、画像データは、利用者が持参した可搬型のメモリカード４１から読み出される。また、オーダー確認パスワードは、利用者が管理者から貸与される可搬型のメモリカード４３から読み出される。すなわち、この形態例の場合、オーダー確認パスワードの入力は、専用のメモリカード４３を通じて実行される。
【００２６】
因みに、メモリカード４１とメモリカード４３は、同じ種類の記憶メディアであっても良いし、違う種類の記憶メディアであっても良い。
いずれにしても、読み出されたデータは制御部２１に供給される。
【００２７】
メディアドライブ３１は、管理者パスワードやオーダー確認パスワードが設定された場合や変更された場合に、新たなパスワードをメモリカード４３に書き込むためのドライブ装置である。この形態例の場合、メディアドライブ３１のスロットは、図３に示すように、インクリボンドアパネル１１の内側に配置する。
【００２８】
図３には、インクリボンスロット５１とメディアドライブ３１に対応するメモリカード挿入用スロット５３を示す。図３では、メモリカード挿入用スロット５３が１つの場合を示すが、スペースが十分であれば、複数個のスロットを配置することもできる。
【００２９】
このように、メモリカード挿入用スロット５３をインクリボンドアパネル１１の内側に配置することで、通常の使用態様では第三者から隠すことができる。このため、オーダー確認パスワードの不正な発行、設定、変更等をより困難なものにできる。なお、オーダー確認パスワードの発行、設定、変更等は、管理者パスワードにより論理的にも保護される。
【００３０】
パスワード催促部３３は、重要情報に対するアクセス時にパスワードの入力を催促する処理デバイスである。この形態例の場合、管理者パスワードとオーダー確認パスワードの入力を催促する。因みに、管理者パスワードを要求するのは、操作者が管理情報の変更を要求する場合である。
【００３１】
オーダー確認パスワードを要求するのは、利用者が印刷オーダーの受付を要求する場合である。オーダー確認パスワードの入力を催促する画面の表示は、例えば印刷オーダーの受付時、印刷オーダーの確定時等、事前の設定に従って実行される。
【００３２】
計時部３５は、オーダー確認パスワードの定期的な発行又は更新を実現するために用意される。もっとも、発行又は更新の実行は、管理者が認証した場合にのみ実行する手法を採用する。
【００３３】
パスワード記憶部３７は、管理者パスワード及びオーダー確認パスワードを保持する書き換え可能な記憶媒体又はその一領域として実現される。例えば半導体記憶装置、磁気ディスク装置、光学式記憶媒体その他を使用する。
【００３４】
印刷可否判定部３９は、メディアドライブ２９に装着されたメモリカード４３から読み出したパスワードをパスワード記憶部３７に格納されているオーダー確認パスワードと照合し、印刷の実行可否を判定する処理デバイスである。読み出したパスワードと格納されているオーダー確認パスワードが一致する場合、印刷可否判定部３９は、印刷の実行又は操作の継続を許可する。
【００３５】
一方、読み出したパスワードと格納されているオーダー確認パスワードが一致しない場合、印刷可否判定部３９は、印刷の実行又は操作の継続を停止する。なお、この場合、パスワード催促部３３が、正しいパスワードの入力を催促する操作画面を画面上に表示する。
【００３６】
（Ａ−３）印刷装置の処理動作
（ａ）オーダー受付処理
図４に、印刷オーダー受付時の動作手順を示す。
制御部２１は、操作入力の待機中（待機画面の表示中）、処理Ｓ１及びＳ２の判定処理を繰り返し実行する。
【００３７】
処理Ｓ１は、操作入力が管理画面操作であるか否かの判定処理である。また、処理Ｓ２は、操作入力がオーダー受付操作であるか否かの判定処理である。
処理Ｓ２で肯定結果が得られた場合、制御部２１は、印刷オーダーの受付操作画面を表示部２５に表示する（Ｓ３）。
【００３８】
この後、利用者は、表示画面のガイダンスに従って、画像データを格納したメモリカード４１をメモリカード挿入用スロット７に装着する。また、利用者は、表示画面のガイダンスに従って、画像の選択、プリントサイズの選択、印刷枚数の選択その他のオーダー受付操作を実行する。これらの受付画面は、既存の入力画面と同じである。
【００３９】
この形態例の場合、必要最小限の入力が完了すると、パスワード催促部３３は、制御部２１を通じてオーダー確認パスワードの催促画面を表示部２５に表示する（Ｓ４）。図５に、入力画面例を示す。図５では、画面の左側に既に入力された操作内容が表示され、画面の右側にパスワード入力用の操作画面６１が表示されている。
【００４０】
勿論、パスワードは操作画面６１を通じて直接入力することもできる。しかし、この形態例の場合には、この表示状態でメモリカード挿入用スロット７又は不図示のカードリーダーに新たに装着されたメモリカード４３からパスワードを読み出し、パスワードの手入力を回避する。このメモリカード４３は、前述したように管理者から貸与されている記録メディアであり、画像データが格納されているメモリカード４１とは別の記録メディアである。
【００４１】
パスワードが読み出されると、印刷可否判定部３９は、読み出されたパスワードをパスワード記憶部３７に格納されているオーダー確認パスワードと照合し、両者が一致するか否かを判定する（Ｓ５）。
両者が一致する場合、制御部２１は正規の利用者であると判定し、その後の操作や印刷実行を許可する（Ｓ６）。
【００４２】
一方、両者が一致しない場合、制御部２１は不正な第三者であると判定し、パスワードの再入力を促す画面を表示部２５に表示させる（Ｓ７）。図６に、表示画面例を示す。図６の場合、画面左側に警告ウィンドウ６３が表示される。
【００４３】
なお、新たに別のメモリカードが装着された場合や新たにパスワードが入力された場合、制御部２１は、印刷可否判定部３９においてオーダー確認パスワードと再び照合する。
再度入力されたパスワードもオーダー確認パスワードに一致しない場合、制御部２１は、オーダー受付処理を終了し、待機画面に戻る。
【００４４】
（ｂ）管理画面表示処理
図７に、処理Ｓ１で肯定結果が得られた場合の処理動作を示す。利用者が管理画面の表示を選択していた場合、パスワード催促部３３は、制御部２１を通じて表示部２５に管理者パスワードの入力を催促する画面を表示する（Ｓ８）。
【００４５】
利用者は、管理者パスワードを格納する専用のメモリカード４３をメモリカード挿入用スロット７に装着することにより、又は手入力により管理者パスワードを入力する。
管理者パスワードが入力されると、印刷可否判定部３９は、入力されたパスワードをパスワード記憶部３７に格納されているオーダー確認パスワードと照合し、両者が一致するか否かを判定する（Ｓ９）。
【００４６】
両者が一致しない場合、制御部２１は利用者が管理者でないと判定し、エラー画面を表示する（Ｓ１０）。勿論、パスワードの再入力を促す画面を表示部２５に表示させることもできる。
両者が一致する場合、制御部２１は利用者が管理者であると判定し、操作入力を受け付ける状態になる（Ｓ１１）。
【００４７】
何らかの操作が検出されると、制御部２１は、操作内容を判定する。図７では、オーダー確認パスワードの変更か否かを最初に判定する（Ｓ１２）。
ここで、肯定結果が得られた場合、制御部２１は、新たに使用するオーダー確認パスワードの変更受付処理を実行する（Ｓ１３）。
【００４８】
図８に、処理Ｓ１３で実行される処理動作の詳細を示す。まず、制御部２１は、インクリボンドア１１の内側に配置されたメモリカード挿入用スロット５３に対するメモリカード４３の装着を確認する（Ｓ２１）。
【００４９】
次に、制御部２１は、パスワード記憶部３７のオーダー確認パスワードを変更後のオーダー確認パスワードに変更する（Ｓ２２）。すなわち、パスワード記憶部３７の保存データを更新する。また、制御部２１は、スロット５３に装着されたメモリカード４３に更新後のオーダー確認パスワードを複製する（Ｓ２３）。
【００５０】
なお、この複製は、必要なメモリカードの数だけ繰り返し実行可能である。
これらの処理の後、制御部２１は、表示部２５に更新終了の通知画面を表示する（Ｓ２４）。
因みに、処理Ｓ１２で否定結果が得られた場合、制御部２１は、操作内容に応じた処理を実行する（Ｓ１４）。
【００５１】
（Ａ−４）効果
以上説明した印刷装置１の場合、使用の際に要求されるオーダー確認パスワードの入力をメモリカード４３の挿入により実現できる。このため、オーダー確認パスワードを第三者の面前で手入力する必要がなくなり、オーダー確認パスワードの秘匿性を高めることができる。
【００５２】
また、管理者には、正規の利用者に対してオーダー確認パスワードを格納したメモリカード４３を手渡すだけで良い。このため、秘匿性を気にしながらオーダー確認パスワードを手入力する必要がある従来手法に比して、管理者の負担を格段に軽減できる。
【００５３】
また、オーダー確認パスワードは、当該パスワードに専用のメモリカード４３に格納され、管理者パスワードとは別に管理される。
従って、オーダー確認パスワードの紛失時や盗難時にも、スタンドアローン形態で使用される印刷装置１の管理情報を不正な第三者から保護することができる。
【００５４】
また、メンテナンス時以外は開くことのないインクリボンドアパネル１１の内側には位置されたメモリカード挿入用スロット５３にメモリカード４３が装着された状態で、管理者パスワードが認証された場合にのみオーダー確認パスワードを変更できるため、印刷装置側とメモリカード側とのオーダー確認パスワードの一致性を保証できる。
【００５５】
また、オーダー管理パスワードの変更時に使用できるメモリカード挿入用スロット５３は、一般の利用者の目に触れない場所に配置される。このため、管理者パスワードが不正に使用された場合でも、オーダー確認パスワードの不正な書き換えを困難にできる。なお、インクリボンドアパネル１１に論理的又は物理的な鍵機構を付ければ、オーダー確認パスワードの不正な書き換えをより困難なものにできる。
【００５６】
また、管理者パスワードの入力も、管理者パスワードを格納したメモリカード４３（オーダー確認パスワードの格納されたメモリカードとは別のメモリカード）で行うことにより、第三者の面前で作業する必要がある場合にもその秘匿性を高めることができる。
【００５７】
（Ｂ）他の形態例
（ａ）前述の形態例の場合、オーダー管理パスワードを管理者の意思に基づいてが主体的に変更する場合について説明した。
【００５８】
しかし、オーダー確認パスワードの更新は、オーダー受付装置としての印刷装置側が主導的に催促する方式を採用しても良い。オーダー確認パスワードの更新を印刷装置側から催促することにより、オーダー確認パスワードの更新頻度を高め、不正使用の可能性を低減することができる。
【００５９】
図９に、この種の更新催促機能を実現する処理手順例を示す。例えば、図９に示す処理は、管理者パスワードが認証されたタイミングで実行する。管理者が管理画面にアクセスするのは、必ずしもオーダー確認パスワードを変更するために限らないが、管理画面にアクセスされたタイミングにプログラムを実行することで、オーダー確認パスワードが更新される機会を増やすことができる。
【００６０】
この更新催促機能の実行時、制御部２１は、更新条件の到来を判定する（Ｓ３１）。更新条件は、時刻、前回更新時からの経過時間、前回更新時からの使用回数等を使用する。これらの条件は、管理画面を利用して管理者が自由に設定できることが望ましい。
更新条件を満たさない場合、制御部２１は、更新催促機能を終了する。
【００６１】
一方、更新条件が到来していた場合、制御部２１は、表示部２５の画面上に更新条件の到来を通知する（Ｓ３２）。この通知により、管理者の意図とは無関係に、オーダー確認パスワードの更新を促すことができる。
【００６２】
この後、制御部２１は、管理者がオーダー確認パスワードの更新を了承したか否かを判定する（Ｓ３３）。この判定は、管理者の意図を反映できるようにするために用意されている。
従って、管理者がオーダー確認パスワードの更新を望まない場合（否定結果の場合）には、制御部２１は更新催促機能を終了する。
【００６３】
一方、管理者がオーダー確認パスワードの更新を望む場合（肯定結果の場合）、制御部２１は、インクリボンドア１１の内側に配置されたメモリカード挿入用スロット５３に対するメモリカード４３の装着を確認する（Ｓ３４）。
【００６４】
次に、制御部２１は、パスワード記憶部３７のオーダー確認パスワードを管理者が手入力した又は自動発行したオーダー確認パスワードに変更する（Ｓ３５）。自動発行には、例えば乱数発生器を使用する。
【００６５】
この後、制御部２１は、スロット５３に装着されたメモリカード４３に更新後のオーダー確認パスワードを複製する（Ｓ３６）。
なお、この複製は、必要なメモリカードの数だけ繰り返し実行可能である。
これらの処理の後、制御部２１は、表示部２５に更新終了の通知画面を表示する（Ｓ３７）。
【００６６】
（ｂ）前述の形態例においては、図１０（Ａ）に示すように、オーダー確認パスワードが１つの数値列（パスワード）で形成される場合について説明した。
しかし、オーダー確認パスワードは、図１０（Ｂ）に示すように、複数個の数値列（パスワード）の組み合わせで構成しても良い。
【００６７】
なお、図１０（Ｂ）は、固定パスワードと可変パスワードの組み合わせによりオーダー確認パスワードを構成する例である。ここで、固定パスワードとは、オーダー確認パスワードの変更時にも変更されないパスワード部分である。例えば管理者パスワードを使用する。
【００６８】
一方、可変パスワードとは、オーダー確認パスワードの変更時に可変されるパスワード部分である。勿論、可変パスワードは、管理者パスワードが認証された状態においてのみ更新可能とする。
【００６９】
（ｃ）前述の形態例においては、印刷オーダーの受付に際し、プリントサイズや枚数を入力する場合について説明した。
しかし、これらに加えて他の情報を入力しても良い。例えばバジェットコードを入力しても良い。図１１に、バジェットコードを入力する場合のオーダー受付画面例を示す。図１１は、印刷待ちの状態にある印刷オーダーの確認画面である。図１１は、バジェットコードが「００１」と「００３」の場合を示す。
【００７０】
このバジェットコードは、通常、コード別に印刷枚数の上限を管理する場合や使用料を集計するのに用いられる。
図１２に、バジェットコードの入力に対応する印刷装置１に好適な処理手順例を示す。なお、この処理手順は、印刷オーダーの受付時に実行される。
【００７１】
この場合、制御部２１は、印刷オーダーの受付時にバジェットコードが入力されたか否かを判定する。バジェットコードの入力は、操作画面上で手入力する場合の他、オーダー確認パスワードと共にメモリカード４３から読み出す方法も考えられる。
【００７２】
ここで、肯定結果が得られた場合、制御部２１は、印刷枚数を対応するバジェットコードに計上する（Ｓ４２）。一方、否定結果が得られた場合、制御部２１は、印刷枚数を総数に計上する（Ｓ４３）。
【００７３】
（ｄ）前述の形態例においては、インクリボンドアパネル１１の内側にパスワード書き換え専用のメモリカード挿入用スロット５３を配置する場合について説明した。
しかし、パスワードの書き換えに使用するスロットは、その他の扉の内側（例えばロール紙ドアパネル５の内側）に配置しても良い。また、メモリカード挿入用スロット７や外部接続されたカードライターを用いてパスワードの書き換えを行えるようにしても良い。
【００７４】
（ｅ）前述した形態例においては、メモリカード挿入用スロット７がメモリースティック（登録商標）、ＸＤカード、ＳＤカード、スマートメディア、コンパクトフラッシュ（登録商標）に対応する場合について説明した。
しかし、ＵＳＢメモリその他のメモリデバイスを使用しても良い。また、メモリカードに限らず、ＣＰＵを搭載するＣＰＵカードでも良い。
【００７５】
なお、メモリデバイスは、外部端子を有する接触型カードだけでなく、内部アンテナを有する非接触型カードにも適用できる。非接触型カードは、その通信距離に応じて密着型、近接型、近傍型、遠隔型に分類できる。いずれの場合にも適用できる。
【００７６】
（ｆ）前述した形態例においては、印刷装置１がスタンドアローンで使用される場合について説明した。
しかし、これは印刷装置１にネットワークインターフェースが搭載されない意味ではなく、ネットワークインターフェースを搭載する印刷装置にも適用できる。
【００７７】
（ｇ）前述の説明では、印刷デバイスとして昇華型の印刷デバイスを搭載する場合について説明した。
しかし、印刷デバイスは任意である。例えば、インクジェット方式により画像を形成する印刷デバイスでも良いし、レーザープリンタのように、レーザー光源と感光ドラムその他の機構で構成される印刷デバイスでも良い。
【００７８】
（ｈ）前述の形態例で説明した印刷装置の説明では、処理機能の全てをソフトウェア処理により実現する場合について説明した。
しかし、処理機能の一部又は全部を、ハードウェアとソフトウェアの機能分担により実現することもできる。また、処理機能の全部をハードウェア（ＡＳＩＣ）として実現しても良い。
【００７９】
（ｉ）前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【００８０】
【図１】印刷装置の外観構成例を示す図である。
【図２】印刷装置の機能構成例を示す図である。
【図３】インクリボンドアパネル内側の構造例を示す図である。
【図４】オーダー受付処理を示す図である。
【図５】パスワードの入力画面例を示す図である。
【図６】パスワードが不正である場合の画面例を示す図である。
【図７】管理画面の表示処理を示す図である。
【図８】オーダー確認パスワードの変更受付手順を示す図である。
【図９】オーダー確認パスワードの更新催促機能を説明する図である。
【図１０】オーダー確認パスワードの構成例を説明する図である。
【図１１】印刷待ちの状態にある印刷オーダーの確認画面例を示す図である。
【図１２】バジェットコード入力時の処理手順を示す図である。
【符号の説明】
【００８１】
１        印刷装置
５        ロール紙ドアパネル
７        メモリカード挿入用スロット
９        排紙口
１１      インクリボンドアパネル
１３      ＬＣＤパネル
５３      メモリカード挿入用スロット
【図１】
2008077441.tif 000003
【図２】
2008077441.tif 000004
【図３】
2008077441.tif 000005
【図４】
2008077441.tif 000006
【図５】
2008077441.tif 000007
【図６】
2008077441.tif 000008
【図７】
2008077441.tif 000009
【図８】
2008077441.tif 000010
【図９】
2008077441.tif 000011
【図１０】
2008077441.tif 000012
【図１１】
2008077441.tif 000013
【図１２】
2008077441.tif 000014